(57)【要約】【課題】タンク内の衛生状態を高く保つことができる栽培装置及び衛生維持方法を提供すること。【解決手段】栽培装置１は、外部から供給される用水が貯留される加湿器２の貯水タンク２２と、加湿器２の貯水タンク２２の下流側に設けられ、当該加湿装置のタンクへの用水の供給によって溢れた余剰の用水が貯留される植物の栽培槽３１と、を備える。したがって、栽培装置１においては、貯水タンク２２内の衛生状態を高く保つことができる。【選択図】図１
2018110541.tif 000002
【特許請求の範囲】
【請求項１】
外部から供給される用水が貯留される加湿装置のタンクと、
前記加湿装置のタンクの下流側に設けられる共に、当該加湿装置のタンクへの用水の供給によって溢れた余剰の用水が貯留される植物の栽培槽と、
を備える栽培装置。
【請求項２】
前記用水は、塩素消毒の処理が施された水道水である、
請求項１に記載の栽培装置。
【請求項３】
前記栽培槽には、前記加湿装置のタンクにおいて一定期間貯留された前記用水が貯留される、
請求項１又は２に記載の栽培装置。
【請求項４】
前記加湿装置のタンクへ用水の供給を行う供給手段を制御する制御手段を備え、
前記制御手段は、前記加湿装置のタンクから溢れる量の前記用水を供給するように前記供給手段を制御する、
請求項１乃至３の何れか１項に記載の栽培装置。
【請求項５】
前記栽培槽の水位を計測する第１の水位計を備え、
前記制御手段は、前記第１の水位計によって前記栽培槽内の用水が少なくなったと計測された場合に、前記加湿装置のタンク内に前記用水を供給させて、当該加湿装置のタンクから溢れ出た余剰の当該用水を前記栽培槽に供給するように前記供給手段を制御する、
請求項４に記載の栽培装置。
【請求項６】
前記制御手段は、前記第１の水位計によって前記栽培槽の水位が規定の水位になった場合に、前記加湿装置のタンクへの前記用水の供給を停止するように前記供給手段を制御する、
請求項５に記載の栽培装置。
【請求項７】
前記加湿装置のタンクの水位を計測する第２の水位計を備え、
前記制御手段は、前記第２の水位計によって前記加湿装置のタンク内の用水が少なくなったと計測された場合に、前記加湿装置のタンク内に前記用水を供給し、当該加湿装置のタンク内の貯留量を規定量にするように前記供給手段を制御する、
請求項５又は６に記載の栽培装置。
【請求項８】
外部から供給される用水を貯留する加湿装置のタンクと、
前記加湿装置のタンクの下流側に設けられ、用水を貯留する植物の栽培槽と、を備える栽培装置で実行される加湿装置のタンク内の衛生維持方法であって、
前記加湿装置のタンク内に前記用水を供給し、当該加湿装置のタンクから溢れ出た余剰分の用水を、前記栽培槽に供給する供給ステップと、
を含む衛生状態の維持方法。
【発明の詳細な説明】
【技術分野】
【０００１】
本発明は、植物の栽培装置及び衛生状態の維持方法に関する。
【背景技術】
【０００２】
従来より、植物を栽培可能な栽培装置がある。このような栽培装置では、例えば、特許文献１に記載される技術のように、植物の栽培に加えて、植物の周囲を加湿する加湿器を備えたものがある。
【先行技術文献】
【特許文献】
【０００３】
【特許文献１】特開２０１６−５２２６４号公報
【発明の概要】
【発明が解決しようとする課題】
【０００４】
上述した特許文献１に記載の技術では、加湿器への給水は、例えば、加湿器のタンク内の水が少なくなったタイミングで行われる。しかしながら、このようなタイミングで給水を行うような運用をした場合、加湿器が稼働等せずに、タンク内の水が減らず長期間タンク内の水を交換しない状態が続くと、タンク内にカビや人体に有害なレジオネラ菌等の細菌が繁殖するという問題が生じる。
【０００５】
本発明は、タンク内の衛生状態を高く保つことができる栽培装置及び衛生状態の維持方法を提供することを目的とする。
【課題を解決するための手段】
【０００６】
本発明は、外部から供給される用水が貯留される加湿装置のタンクと、前記加湿装置のタンクの下流側に設けられ、当該加湿装置のタンクへの用水の供給によって溢れた余剰の用水が貯留される植物の栽培槽と、を備える栽培装置である。
【０００７】
前記用水は、塩素消毒の処理が施された水道水であることが好ましい。
【０００８】
前記栽培槽には、前記加湿装置のタンクにおいて一定期間貯留された前記用水が貯留されることが好ましい。
【０００９】
前記加湿装置のタンクへ用水の供給を行う供給手段を制御する制御手段を備え、前記制御手段は、前記加湿装置のタンクから溢れる量の前記用水を供給するように前記供給手段を制御することが好ましい。
【００１０】
前記栽培槽の水位を計測する第１の水位計を備え、前記制御手段は、前記第１の水位計によって前記栽培槽内の用水が少なくなったと計測された場合に、前記加湿装置のタンク内に前記用水を供給させて、当該加湿装置のタンクから溢れ出た余剰の当該用水を前記栽培槽に供給するように前記供給手段を制御することが好ましい。
【００１１】
前記制御手段は、前記第１の水位計によって前記栽培槽の水位が規定の水位になった場合に、前記加湿装置のタンクへの前記用水の供給を停止するように前記供給手段を制御することが好ましい。
【００１２】
前記加湿装置のタンクの水位を計測する第２の水位計を備え、前記制御手段は、前記第２の水位計によって前記加湿装置のタンク内の用水が少なくなったと計測された場合に、前記加湿装置のタンク内に前記用水を供給し、当該加湿装置のタンク内の貯留量を規定量にするように前記供給手段を制御することが好ましい。
【００１３】
また、本発明は、外部から供給される用水を貯留する加湿装置のタンクと、
前記加湿装置のタンクの下流側に設けられ、用水を貯留する植物の栽培槽と、を備える栽培装置で実行される加湿装置のタンク内の衛生維持方法であって、
前記加湿装置のタンク内に前記用水を供給し、当該加湿装置のタンクから溢れ出た余剰分の用水を、前記栽培槽に供給する供給ステップと、を含む衛生状態の維持方法である。
【発明の効果】
【００１４】
本発明によれば、タンク内の衛生状態を高く保つことができる栽培装置及び衛生維持方法を提供することができる。
【図面の簡単な説明】
【００１５】
【図１】本発明の一実施形態である栽培装置１の構成を説明するための模式図である。
【図２】栽培装置１の動作原理を説明するための模式図である。
【図３】水位管理処理を実行するための栽培装置１のハードウェアの構成を示すブロック図である。
【図４】図３の栽培装置１が実行する水位管理処理の流れを説明するフローチャートである。
【発明を実施するための形態】
【００１６】
以下、図面を参照しながら、本発明の栽培装置１について説明する。図１は、本発明の一実施形態である栽培装置１の構成を説明するための模式図である。図２は、栽培装置１の動作原理を説明するための模式図である。図３は、水位管理処理を実行するための栽培装置１のハードウェアの構成を示すブロック図である。図４は、図３の栽培装置１が実行する水位管理処理の流れを説明するフローチャートである。
【００１７】
（栽培装置１）
栽培装置１は、図１に示すように、加湿を行う加湿器２と、観葉植物等の植物ＰＬを栽培する栽培器３と、加湿器２及び栽培器３における水位を制御する制御部４と、を備える。即ち、本実施形態の栽培装置１は、加湿器付き栽培装置として構成される。
【００１８】
（加湿器２）
加湿器２は、加湿機能を発揮する加湿器本体２１と、加湿器本体２１で加湿に用いられる水（以下、「用水」という。）を貯留する貯水タンク２２と、を有する。また、加湿器２は、栽培装置１の周囲の加湿や植物ＰＬへの加湿を行うことができる。本実施形態において加湿器２は、主に、栽培装置１の周囲の加湿を目的として使用される。
【００１９】
（加湿器本体２１）
加湿器本体２１は、内部に収容されている水分を空気中に放出し、周囲を加湿可能に構成される。本実施形態の加湿器本体２１においては、気化方式又は超音波方式の加湿方式が採用される。
また、加湿器本体２１は、貯水タンク２２に貯留される用水を取り込んで内部に収容する。本実施形態の加湿器本体２１は、貯水タンク２２内に設置され、貯水タンク２２に貯留される用水に浮かせた状態で使用される。
【００２０】
（貯水タンク２２）
貯水タンク２２は、加湿器本体２１の供給用に用水が貯留可能に構成される。また、貯水タンク２２には、所定量以上の用水がオーバーフローして溢れ出るように、排出口２２ａが設けられる。排出口２２ａは、栽培器３側に用水を排出可能な位置に設けられる。即ち、本実施形態において、排出口２２ａは、所定量以上の用水が供給された場合にオーバーフローする位置であり、栽培器３側にオーバーフローした用水を排出可能な上部の位置に設けられる。ここで、所定量とは、少なくとも、加湿器本体２１で加湿に利用可能な量があり、かつ、加湿器本体２１が浮くことができる程度の量である。
【００２１】
本実施形態において、貯水タンク２２への用水の供給は、供給源となる水栓１００から行われる。水栓１００は、水道と連結しており、塩素消毒により水処理された水道水を用水として、貯水タンク２２に供給する。また、水栓１００には、電磁弁１００ａが設けられ、当該電磁弁１００ａを開閉制御することにより、放水（貯水タンク２２への用水の供給）と止水（貯水タンク２２への用水の供給停止）の制御が可能となる。本実施形態においては、電磁弁１００ａは、制御部４によって開閉が制御される。
【００２２】
（栽培器３）
栽培器３は、植物ＰＬへの灌水用の用水が貯留される栽培槽３１と、栽培槽３１の上部に設置される培地３２と、栽培槽３１の底部付近に設置される水位計３３と、同じく栽培槽３１の底部付近に設置されるポンプ３４と、を有する。
【００２３】
（栽培槽３１）
栽培槽３１は、培地３２への供給用に用水が貯留可能に構成される。また、栽培槽３１は、貯水タンク２２からオーバーフローした用水を受けることができるように貯水タンク２２の下流側に配置される。即ち、栽培装置１においては、水栓１００を始点とする水道水の加水ラインの上流に貯水タンク２２が設置され、下流に栽培槽３１が設置される。
【００２４】
（培地３２）
培地３２は、内部に培土を収容して透水性を有する。培地３２には、観葉植物等の植物ＰＬが植え込まれる。
【００２５】
（水位計３３）
水位計３３は、栽培槽３１内に貯留された用水の水位を栽培槽３１の底部から所定の高さまで計測可能に構成される。
【００２６】
（ポンプ３４）
ポンプ３４は、栽培槽３１内に貯留された用水を吸い上げて、植物ＰＬへの灌水を行う。詳細には、ポンプ３４は、このポンプ３４に接続された散水パイプ３５を通じて培地３２上から散水する。本実施形態のポンプ３４は、電動式で、タイマー等により所定の間隔で用水を吸い上げるように構成される。
【００２７】
（制御部４）
制御部４は、ＣＰＵ（Ｃｅｎｔｒａｌ  Ｐｒｏｃｅｓｓｉｎｇ  Ｕｎｉｔ）により構成されており、水栓１００の制御に係る各処理動作の制御等を行う。制御部４は、水位計３３に接続され、水位計３３の計測結果を取得する。また、制御部４は、電磁弁１００ａに接続され、電磁弁１００ａの開閉制御を行う。
【００２８】
このように構成される栽培装置１は、主に、観葉植物等を栽培する栽培装置として、室内で使用される。例えば、栽培装置１は、植物等を利用して、オフィス等のパーティションと併用したり、パーティションに代替して使用したりすることができる。即ち、栽培装置１では、植物によりパーティションを装飾したり、パーティションそのものとして機能させたりする上に、加湿器によって室内を加湿して湿度を高く保つことができる。
また、屋外で使用する場合には、壁面緑化を目的とした植物を栽培する栽培装置として使用することができる。
【００２９】
［栽培装置１の動作］
栽培装置１においては、図２（ａ）に示すように、まず、ポンプ３４によって、栽培槽３１に貯留されている用水を培地３２に供給する。ポンプ３４による培地３２への用水の供給により、栽培槽３１に貯留されている用水が減少し、新たな用水の貯留を許容する状態となる。栽培槽３１で新たな用水の貯留を許容する状態となっているため、貯水タンク２２では、水栓１００からの用水の供給が許容される。
【００３０】
次に、水栓１００から用水が供給された場合には、貯水タンク２２においては、用水が貯留されて水位が上昇する。やがて、貯水タンク２２の水位が排出口２２ａの高さに達すると、図２（ｂ）に示すように、貯水タンク２２から用水がオーバーフローして、排出口２２ａから栽培槽３１に用水が排出される。貯水タンク２２から用水がオーバーフローすることにより、貯水タンク２２内の用水が更新される。新たな用水が追加されることによって、水道水に含まれる残留塩素で貯水タンク２２内が殺菌されて、タンク内の衛生状態を高く保つことできる。
貯水タンク２２からオーバーフローした用水は、栽培槽３１に貯留され、再度のポンプ３４による培地３２への用水の供給により、上述した動作が繰り返される。
ポンプ３４により所定の間隔で、培地３２に灌水を行うため、用水の供給には一定の期間を要することになる。即ち、栽培槽３１の用水が減るまでの間、貯水タンク２２において用水が貯留されることになる。貯水タンク２２において貯留される期間で水道水の残留塩素が低減する。
【００３１】
［栽培装置１の水位管理］
本実施形態の栽培装置１においては、図２（ｃ）に示すように、栽培槽３１への用水の供給を開始するタイミング（水栓１００からの用水の供給を開始するタイミング）は、ポンプ３４による培地３２への用水の供給が不能となる限界の水位（以下、「限界水位」という。）に達したときとする。
また、栽培槽３１への用水の供給を停止するタイミング（水栓１００からの用水の供給を停止するタイミング）は、栽培槽３１の上限（上方の培地３２に接しない程度の水位）に達しない所定の水位（以下、「規定水位」という。）に達したときとする。
即ち、本実施形態の栽培装置１において、栽培槽３１の水位管理は、限界水位と、規定水位によって行う。
【００３２】
また、本実施形態の栽培装置１においては、栽培槽３１の水位管理に加えて、貯水タンク２２の水位管理も行う。
本実施形態の栽培装置１においては、貯水タンク２２に排出口２２ａがあり、供給された用水の余剰分がオーバーフローするように構成されている。このために、貯水タンク２２では、タンクの容量の上限に達することがないため管理が不要となる。これに対して、貯水タンク２２の水位が低い場合には、水位計３３等がないために把握できず、栽培槽３１の水位が限界水位となるまで、用水の供給を待つ必要がある。この場合、栽培槽３１と貯水タンク２２との水位の変動が同程度であれば問題がないが、例えば、貯水タンク２２の用水の減りが早い場合、即ち、栽培槽３１の水位が高く、貯水タンク２２の水位が低い場合には、貯水タンク２２が稼働しなくなる状況が生じる可能性がある。
そこで、本実施形態の栽培装置１においては、所定のタイミングで、貯水タンク２２に用水を供給し、オーバーフローが生じた場合、即ち、栽培槽３１の水位が高くなった場合に、用水の供給を停止させることで、貯水タンク２２内の水位のみを高く維持するように構成する。
【００３３】
［制御部４による電磁弁１００ａの制御］
制御部４は、図３に示すように、水位計３３での計測結果を取得する。そして、制御部４は、取得した計測結果に基づいて、電磁弁１００ａの開閉制御を行って、栽培槽３１及び貯水タンク２２の水位管理を行う。
【００３４】
具体的には、制御部４は、栽培槽３１の水位管理では、水位計３３によって栽培槽３１の水位が限界水位と計測された場合には、水栓１００から用水が供給されるように電磁弁１００ａを開く制御（開栓制御）をする。
また、制御部４は、水位計３３によって栽培槽３１の水位が規定水位と計測された場合には、水栓１００からの用水の供給が停止されるように電磁弁１００ａを閉める制御（閉栓制御）をする。
【００３５】
また、制御部４は、貯水タンク２２の水位管理では、所定のタイミングで、水栓１００から用水が供給されるように電磁弁１００ａを開く制御をする。その後、水位計３３によって栽培槽３１の水位が高くなった場合には、水栓１００からの用水の供給が停止されるように電磁弁１００ａを閉める制御をする。
【００３６】
［栽培装置１における水位管理処理の流れ］
ここで、「水位管理処理」とは、制御部４によって、栽培槽３１及び貯水タンク２２の水位を管理する一連の処理である。
以下、図４を参照して、水位管理処理の流れについて説明する。
【００３７】
ステップＳ１１において、制御部４は、水位計３３による計測によって限界水位を下回ったか否かを判定する。
限界水位を下回っていない場合には、ステップＳ１１においてＮＯと判定されて、処理はステップＳ１５に進む。ステップＳ１５〜ステップＳ１７において、加湿器側の水位管理の処理が実行される。
限界水位を下回った場合には、ステップＳ１１においてＹＥＳと判定されて、処理はステップＳ１２に進む。ステップＳ１２〜ステップＳ１４において、栽培器側の水位管理の処理が実行される。
【００３８】
ステップＳ１２において、制御部４は、開栓するように電磁弁１００ａを制御する。その結果、水栓１００から貯水タンク２２に用水が供給される。
【００３９】
ステップＳ１３において、制御部４は、水位計３３による計測によって規定水位に達したか否かを判定する。
規定水位に達していない場合には、ステップＳ１３においてＮＯと判定されて、処理は待機状態となる。
規定水位に達した場合には、ステップＳ１３においてＹＥＳと判定されて、処理はステップＳ１４に進む。
【００４０】
ステップＳ１４において、制御部４は、閉栓するように電磁弁１００ａを制御する。その結果、水道から貯水タンク２２への用水の供給が停止される。その後、処理はステップＳ１８に進む。
【００４１】
これに対して、ステップＳ１１において限界水位を下回っていないと判定されたため、ステップＳ１５において、制御部４は、開栓するように電磁弁１００ａを制御する。その結果、水栓１００から貯水タンク２２に用水が供給される。
【００４２】
ステップＳ１６において、制御部４は、水位計３３における水位の増加があったか否かを判定する。ここでは、水位の増加を介して、貯水タンク２２から用水のオーバーフローの有無を判定する。
水位の上昇がない場合には、ステップＳ１６においてＮＯと判定されて処理は待機状態となる。
水位の上昇があった場合には、ステップＳ１６においてＹＥＳと判定されて処理はステップＳ１７に進む。
【００４３】
ステップＳ１７において、制御部４は、閉栓するように電磁弁１００ａを制御する。その結果、水栓１００から貯水タンク２２への用水の供給が停止される。
【００４４】
ステップＳ１８において、制御部４は、所定の時間が経過したか否かを判定する。
所定の時間が経過していない場合には、ステップＳ１８においてＮＯと判定されて、処理は待機状態となる。
所定の時間が経過した場合には、ステップＳ１８においてＹＥＳと判定されて、処理はステップＳ１１に戻る。
【００４５】
＜変形例＞
上述した実施形態では、栽培槽３１の水位を把握するための水位計３３を設けるように構成したが、本例では、貯水タンク２２側にも新たに水位計を設けるように構成することができる。
このように構成することで、栽培装置１においては、水位計による貯水タンク２２の水位管理を行うことができ、加湿器２のみが減って限界水位に達した場合に、用水を追加することができる。また、加湿器２においては、必要最低限の水位で通常の水位の管理ができ、水の更新の際のみ、栽培槽３１へオーバーフローさせる水位にすることができ、水を節約することができる。これにより、栽培装置１においては、通常時には、必要以上の水が貯水タンク２２内にないために、細菌の発生等の可能性を低く抑えることができる。
【００４６】
＜他の変形例＞
上述した実施形態では、ポンプ３４に接続された散水パイプ３５を通じて培地３２上から灌水を行うように構成したが、これに限られない。例えば、ポンプ３４から吸い上げた用水を培地３２に直接供給して灌水を行うように構成してもよい。
【００４７】
また、栽培装置１においては、貯水タンク２２と、栽培槽３１の容量の都合等により、栽培槽３１の用水の減少が貯水タンク２２の用水の減少よりも速いと想定される場合には、水位計３３を栽培槽３１のみに設置して、連動して栽培槽３１の水位を一定に保つ制御とする運用を行うことができる。
これに対して、栽培装置１においては、貯水タンク２２の用水の減りが栽培槽３１の用水の減りよりも早いと想定される場合には、栽培槽３１に加えて貯水タンク２２側にも水位計３３を設けて、貯水タンク２２が空にならないように制御する運用を行うことができる。
【００４８】
［効果］
栽培装置１においては、貯水タンク２２の用水の更新を、栽培槽３１における用水の供給のタイミングで行うことで、定期的に貯水タンク２２の用水の更新を行うことができる。その結果、貯水タンク２２には、長期間同じ用水が貯留されることがなく、衛生状態を高く保つことができる。また、加湿器２では、定期的に更新された用水を利用して加湿を行うことができる。
【００４９】
また、栽培装置１においては、水道水を用水として使用しているために、水道水に含まれる残留塩素によって、貯水タンク２２内が殺菌されて、カビや人体に有害なレジオネラ菌等の細菌の繁殖を抑制できる。
【００５０】
また、栽培装置１においては、貯水タンク２２内で一定の期間貯留された用水が栽培槽３１に供給されるために、水道水の残留塩素が抜けた用水を植物ＰＬに灌水できる。植物ＰＬでは、残留塩素の影響を抑制できるために、植物ＰＬに適した用水を供給でき、結果的に植物ＰＬの活性を高めることができる。
【００５１】
また、栽培装置１においては、加湿器２を栽培槽３１と一体型として構成したため、加湿器２が目立たないデザインとすることができる。
【００５２】
また、栽培装置１においては、水位計３３での計測に基づいて制御部４によって水位管理を行っているため、自動で用水の更新等を行うことができる。
【００５３】
また、栽培装置１においては、貯水タンク２２の用水の更新によって出た排水を栽培槽３１で灌水用の用水として利用するために、水を無駄にすることがない。
【００５４】
なお、本発明は、上述の実施形態に限定されるものではなく、本発明の目的を達成できる範囲での変形、改良等は本発明に含まれるものである。
【００５５】
上述した実施形態では、水栓１００を制御して自動的に水位を管理するように構成したが、例えば、栽培槽３１が規定水位を下回った旨を報知するように構成して、ユーザにより手動で水位の管理を行うように構成してもよい。この場合でも、ユーザは、栽培槽３１の水位のみを考慮して水の管理を行えばよいために、特段の意識をすることなく、栽培槽３１への用水の供給によって、貯水タンク２２の衛生状態を高く維持できる。
さらに、上述した実施形態では、水の更新のタイミングをユーザに報知するように構成してもよい。その際には、合わせて水の更新停止のタイミングについても報知するように構成してもよい。
【００５６】
また、上述した実施形態では、貯水タンク２２から栽培槽３１までの用水の供給に関して、落差や距離を設けることで、排出時に空気と触れる時間が長くなるため、水に含まれる酸素の量を増加させることができる。また、速い速度で用水を供給することで、貯水タンク２２や栽培槽３１内の用水を攪拌させることができるために、よどみ等を解消できる。
【００５７】
また、上述した実施形態では、貯水タンク２２からの排水をタンクからオーバーフローさせて栽培槽３１に排水させるように構成したが、これに限られない。栽培槽３１への排水を行えればよく、例えば、タンク下部に設けた栓や流路の開閉やポンプによって排水を行うように構成してもよい。この場合、貯水タンク２２内の水量が加湿を行うために必要な規定の水量を下回らないように排水を調整して行う。
【００５８】
また、上述した実施形態では、加湿装置本体を栽培装置１の構成として説明したが、外部の加湿装置で構成するようにしてもよい。
【００５９】
また、上述した実施形態では、加湿器に代えて、水の気化熱によって冷気を放出する冷房装置（いわゆる、冷風扇）で構成することができる。この場合、水栓から冷房装置のタンクに用水を供給することになる。栽培装置１では、冷房装置と、植物の蒸発散や遮光等によっても相乗的に栽培装置１の周囲の温度を下げることができ、さらに植物によって清涼感を与えることができるために、冷房効果を高めることができる。
【００６０】
また、上述した実施形態では、水の定期的な更新を要するタンクを加湿器２の貯水タンク２２として構成したが、これに限られない。タンク内の衛生状態が高く保つことがよいとされるタンクに適用可能であり、例えば、飲料を目的とした浄水用のタンクとして構成してもよい。
また、一定期間貯留されて残留塩素が抜けた用水が供給されるタンクを植物ＰＬの灌水用いる栽培槽３１として構成したが、これに限られない。一定期間貯留されて、水道水としての水処理の残留物（例えば、塩素やカルキ等）が抜けた水を利用することがよいとされるタンクに適用可能であり、例えば、水生生物の水槽用のタンクとして構成してもよい。
【符号の説明】
【００６１】
１        栽培装置
２        加湿器
３        栽培器
４        制御部
２１      加湿器本体
２２      貯水タンク
２２ａ    排出口
３１      栽培槽
３２      培地
３３      水位計
３４      ポンプ
３５      散水パイプ
１００    水栓
１００ａ  電磁弁
【図１】
2018110541.tif 000003
【図２】
2018110541.tif 000004
【図３】
2018110541.tif 000005
【図４】
2018110541.tif 000006